(57)【要約】【課題】  コンテンツの緊急差替を行っても事故を防ぐ番組送出サーバおよび番組再収録方法を提供する。【解決手段】  番組送出サーバＢＳの制御管理装置４は、番組の素材を再収録するコマンドを受信した場合、その素材に仮ＩＤを付与し、ＶＴＲ１ｂ等から入力される素材のコンテンツデータをビデオサーバ１に書込記録する制御を行う。そしてデータの書込記録が完了すると、仮ＩＤとビデオサーバ１に以前に蓄積していたデータに付与されている本来のＩＤとを差し替え、仮ＩＤに改名された蓄積していた古いデータを削除し、そしてもし、書込完了する前に当該素材をオンエアするコマンドを受信した場合は、書込記録中のデータでは無く既に蓄積していたデータを読み出して送信機へ向けて送出する。する制御を行う。【選択図】  図１
2009171361.tif 000002
【特許請求の範囲】
【請求項１】
入力する番組素材のデータを収録コマンドにより記憶媒体に収録し、自動番組送出設備
から入力されるオンエアコマンドにより、前記記憶媒体に蓄積記憶している番組素材のデ
ータを読み出して送信機に向けて送出する番組送出サーバにおいて、
記憶媒体と、
コマンド入力手段と、
前記コマンド入力手段を介して入力された前記収録コマンドが、既に前記記憶媒体で蓄
積している素材の再収録コマンドの場合、前記入力される番組素材のデータに仮のＩＤを
付与して前記記憶媒体に書込記録し、書込記録が完了した場合、前記仮のＩＤと前記既に
蓄積記憶していた第１の素材のデータに付与された本来のＩＤとの間でＩＤを相互に差し
替え、前記第１の素材のデータを削除する再収録を行い、
前記コマンド入力手段を介して入力された前記オンエアコマンドにより前記本来のＩＤに
差し替えられた前記再収録した素材のデータを前記記憶媒体から読み出して前記送出し、
前記書込記録完了前に前記オンエアコマンドを受信した場合、前記既に蓄積していた本来
のＩＤが付与されている前記第１の素材のデータを前記記憶媒体から読み出して前記送出
する制御を行う
制御管理手段とを
備える事を特徴とする番組送出サーバ。
【請求項２】
入力する番組素材のデータを収録コマンドにより記憶媒体に収録し、自動番組送出設備
から入力されるオンエアコマンドにより、前記記憶媒体に蓄積記憶している番組素材のデ
ータを読み出して送信機に向けて送出する番組送出サーバにおいて、
記憶媒体と、
コマンド入力手段と、
前記コマンド入力手段を介して入力された前記収録コマンドが、既に前記記憶媒体で蓄
積している素材の再収録コマンドの場合、前記入力される番組素材のデータに仮のＩＤを
付与して前記記憶媒体に書込記録し、書込記録が完了した場合、前記仮のＩＤと前記既に
蓄積していた第１の素材のデータに付与された本来のＩＤとの間でＩＤを相互に差し替え
る再収録を行い、
前記コマンド入力手段を介して入力された前記オンエアコマンドにより前記本来のＩＤに
差し替えられた前記再収録した素材のデータを前記記憶媒体から読み出して前記送出し、
前記書込記録完了前に前記オンエアコマンドを受信した場合、前記既に蓄積していた本来
のＩＤが付与されている前記第１の素材のデータを前記記憶媒体から読み出して前記送出
する制御を行う
制御管理手段とを
備える事を特徴とする番組送出サーバ。
【請求項３】
入力する番組素材のデータを収録コマンドにより記憶媒体に収録し、自動番組送出設備
から入力されるオンエアコマンドにより、前記記憶媒体に蓄積記憶している番組素材のデ
ータを読み出して送信機に向けて送出する番組送出サーバにおいて、
記憶媒体と、
コマンド入力手段と、
前記記憶媒体に蓄積記憶している番組素材のデータのＩＤをコンテンツリストにし、
前記コマンド入力手段を介して前記収録コマンドが入力された場合、その収録コマンドが
指定する番組素材のデータのＩＤを前記コンテンツリストと照合し、
既に前記コンテンツリストに掲載されていた場合は、再収録コマンドと判断し、前記入力
される番組素材のデータに仮のＩＤを付与して前記記憶媒体に書込記録し、書込記録が完
了した場合、前記仮のＩＤと前記既に蓄積していた第１の素材のデータに付与された本来
のＩＤとの間でＩＤを相互に差し替える再収録を行い、
前記コマンド入力手段を介して前記オンエアコマンドが入力された場合、前記本来のＩＤ
に差し替えられた前記再収録した素材のデータを前記記憶媒体から読み出して前記送出し
、
前記書込記録完了前に前記オンエアコマンドを受信した場合、前記既に蓄積していた本来
のＩＤが付与されている前記第１の素材のデータを前記記憶媒体から読み出して前記送出
する制御を行う
制御管理手段とを備える
事を特徴とする番組送出サーバ。
【請求項４】
前記制御管理手段は、
前記再収録をするに当たり前記第１の素材のデータファイルに第３のＩＤを付与して前記
記憶媒体に蓄積記憶する
ことを特徴とする請求項２又は３に記載の番組送出サーバ。
【請求項５】
前記制御管理手段は、
前記記憶媒体から前記記憶媒体の空き容量をモニタし、所定の空き容量がある場合、
前記第１の素材のデータを前記記憶媒体に蓄積記憶する
ことを特徴とする請求項２〜４のいずれか１項記載の番組送出サーバ。
【請求項６】
前記制御管理手段は、
予め、前記記憶媒体に蓄積された各番組素材を送出するタイミング情報をリストにしたコ
ンテンツ管理テーブルを備え、内部時計と前記コンテンツ管理テーブルとを参照して所定
のタイミングになった場合、前記オンエアコマンドを受信した場合と同様の素材データの
送出に係わる制御を行うことを特徴とする請求項１〜５のいずれか１項記載の番組送出サ
ーバ。
【請求項７】
記憶媒体と、コマンド入力手段と、制御管理手段とを備え、入力する番組素材のデータ
を収録コマンドにより記憶媒体に収録し、自動番組送出設備から入力されるオンエアコマ
ンドにより、前記記憶媒体に蓄積記憶している番組素材のデータを読み出して送信機に向
けて送出する番組送出サーバの番組再収録方法において、
前記コマンド入力手段を介して前記収録コマンドが入力される前記制御管理手段は、
入力された収録コマンドが、既に前記記憶媒体で蓄積している素材の再収録コマンドの場
合、前記入力される番組素材のデータに仮のＩＤを付与して前記記憶媒体に書込記録し、
書込記録が完了した場合、前記仮のＩＤと前記既に蓄積記憶していた第１の素材のデータ
に付与された本来のＩＤとの間でＩＤを相互に差し替える再収録を行い、
前記コマンド入力手段を介して前記オンエアコマンドが入力された場合、前記本来のＩＤ
に差し替えられた前記再収録した素材のデータを前記記憶媒体から読み出して前記送出し
、
前記書込記録完了前に前記オンエアコマンドを受信した場合、前記既に蓄積していた本来
のＩＤが付与されている前記第１の素材のデータを前記記憶媒体から読み出して前記送出
する制御を行う
制御管理手段とを
備える事を特徴とする番組送出サーバの番組再収録方法。
【請求項８】
記憶媒体と、コマンド入力手段と、制御管理手段とを備え、入力する番組素材のデータ
を収録コマンドにより記憶媒体に収録し、自動番組送出設備から入力されるオンエアコマ
ンドにより、前記記憶媒体に蓄積記憶している番組素材のデータを読み出して送信機に向
けて送出する番組送出サーバの番組再収録方法において、
前記コマンド入力手段を介して前記収録コマンドが入力される前記制御管理手段は、
前記記憶媒体に蓄積記憶している番組素材のデータのＩＤをコンテンツリストにし、
前記コマンド入力手段を介して前記収録コマンドが入力された場合、その収録コマンドが
指定する番組素材のデータのＩＤと前記コンテンツリストとを照合し、
既に前記コンテンツリストに掲載されていた場合は、再収録コマンドと判断し、前記入力
される番組素材のデータに仮のＩＤを付与して前記記憶媒体に書込記録し、書込記録が完
了した場合、前記仮のＩＤと前記既に蓄積していた第１の素材のデータに付与された本来
のＩＤとの間でＩＤを相互に差し替える再収録を行い、
前記コマンド入力手段を介して前記オンエアコマンドが入力された場合、前記本来のＩＤ
に差し替えられた前記再収録した素材のデータを前記記憶媒体から読み出して前記送出し
、
前記書込記録完了前に前記オンエアコマンドを受信した場合、前記既に蓄積していた本来
のＩＤが付与されている前記第１の素材のデータを前記記憶媒体から読み出して前記送出
する制御を行う
事を特徴とする番組送出サーバの番組再収録方法。
【請求項９】
前記制御管理手段は、
前記再収録をするに当たり前記第１の素材のデータファイルに第３のＩＤを付与して前記
記憶媒体に蓄積記憶する
ことを特徴とする請求項７、又は８に記載の番組送出サーバの番組再収録方法。
【請求項１０】
前記制御管理手段は、
前記記憶媒体から前記記憶媒体の空き容量をモニタし、所定の空き容量がある場合、
前記第１の素材のデータを前記記憶媒体に蓄積記憶する
ことを特徴とする請求項８記載の番組送出サーバの番組再収録方法。
【請求項１１】
前記制御管理手段は、
予め、前記記憶媒体に蓄積された各番組素材を送出するタイミング情報をリストにしたコ
ンテンツ管理テーブルを備え、内部時計と前記コンテンツ管理テーブルとを参照して所定
のタイミングになった場合、前記オンエアコマンドを受信した場合と同様の素材データの
送出に係わる制御を行うことを特徴とする請求項７〜１０のいずれか１項記載の番組送出
サーバの番組再収録方法。
【発明の詳細な説明】
【技術分野】
【０００１】
本発明は、放送局でオンエア用の番組コンテンツを収録する番組送出サーバおよび番組
再収録方法に関する。
【背景技術】
【０００２】
放送局の番組送出は、ＡＰＣ（番組自動送出装置）によって管理されている。即ち、セ
ンター局のデータサーバ（以下、ＤＳと省略する。）から配布される番組時刻表から作成
された番組コンテンツの送出に係わる機器の選択切替等イベント情報がＳＣＰ（Ｓｃｈｅ
ｄｕｌｅ  Ｃｏｎｔｒｏｌ  Ｐｒｏｃｅｓｓｏｒ）に設定され、ＳＣＰはイベント情報の
各データを参照して所定の時刻に番組コンテンツが送出される。
【０００３】
ＯＡ（オンエア）進行中は、番組時刻表とイベント情報に従い、番組送出サーバやその
他の素材送出装置等、所定の装置とコンテンツがＳＣＰの制御によって選択、切替操作さ
れる。
【０００４】
現在の放送局のＯＡ制御は、上記の如くイベント情報により管理されて番組がＳＣＰに
より制御送出されている為、収録映像のコンテンツを変更する場合には、イベントデータ
を監視制御卓、又は、素材管理システム等の制御入力手段から変更する。原則的には、例
えば、変更対象となる番組のコンテンツ名、及びコンテンツを送出する素材送出装置名称
等を変更する等の処理が必要で、上位のＤＳやＳＣＰのイベント情報に係わるデータを変
更する。
【０００５】
そこで、ニュース、報道番組等では、例えば、ビデオサーバに収録されていたコンテン
ツを取材先で記録した新たなものに緊急に差し換えて放送する必要な場合がある。従来、
この様な差し替えについては、ビデオサーバに収録しているコンテンツを削除し、同じコ
ンテンツ名称（ＩＤ）で再収録を行ったコンテンツをビデオサーバから送出する方法が取
られている。
【０００６】
しかし、再収録の書き込み途中でＯＡしなければならなくなった場合、コンテンツが無
いか、未完のため、放送停止自己が発生するので、緊急にコンテンツの差し替えを行うの
は容易でなく、また差し替え処理中のオペレータの手順上の誤りも発生しやすかった。
【０００７】
一方、コンテンツを速やかに差し換える方法として上位の機器設定データを変更するこ
となくＳＣＰ内での新たな切替先の機器を割り当てておき（例えば、特許文献１。）、予
備用の番組送出サーバに差替コンテンツを予め収録して切り換える方法もある。だが、こ
の場合でも緊急な差替え収録が間に合わない場合も同様に生じる。
【０００８】
また、差し替えは、ＳＣＰによる管理ではなく素材管理システムから再収録の指示を行
う場合もあり、番組時刻表に対応せずに緊急で無いと考えて再収録を行っている途中でオ
ンエアコマンドが受信される場合もある。
【特許文献１】特開２００７−１３４９５号公報  （第１２頁、第１図）
【発明の開示】
【発明が解決しようとする課題】
【０００９】
従来、ビデオサーバに蓄積されているコンテンツを差替えて再収録して送出するには、
一旦収録しているコンテンツを削除してから再収録を行う為の余裕時間が必要な為、オン
エアが差し迫った緊急なコンテンツ差替えが困難な問題、また、再収録中にオンエアコマ
ンドを受信した場合、放送事故が発生する問題があった。
【００１０】
本発明は、上記問題を解決するためになされたもので、コンテンツの緊急差替を行って
も事故を防ぐ番組送出サーバおよび番組再収録方法を提供することを目的とする。
【課題を解決するための手段】
【００１１】
上記目的を達成するために、本発明の番組送出サーバは、入力する番組素材のデータを
収録コマンドにより記憶媒体に収録し、自動番組送出設備から入力されるオンエアコマン
ドにより、前記記憶媒体に蓄積記憶している番組素材のデータを読み出して送信機に向け
て送出する番組送出サーバにおいて、記憶媒体と、コマンド入力手段と、前記コマンド入
力手段を介して入力された前記収録コマンドが、既に前記記憶媒体で蓄積している素材の
再収録コマンドの場合、前記入力される番組素材のデータに仮のＩＤを付与して前記記憶
媒体に書込記録し、書込記録が完了した場合、前記仮のＩＤと前記既に蓄積記憶していた
第１の素材のデータに付与された本来のＩＤとの間でＩＤを相互に差し替え、前記第１の
素材のデータを削除する再収録を行い、前記コマンド入力手段を介して入力された前記オ
ンエアコマンドにより前記本来のＩＤに差し替えられた前記再収録した素材のデータを前
記記憶媒体から読み出して前記送出し、前記書込記録完了前に前記オンエアコマンドを受
信した場合、前記既に蓄積していた本来のＩＤが付与されている前記第１の素材のデータ
を前記記憶媒体から読み出して前記送出する制御を行う制御管理手段とを備えることを特
徴とする。
【００１２】
また本発明の番組送出サーバの番組再収録方法は、記憶媒体と、コマンド入力手段と、
制御管理手段とを備え、入力する番組素材のデータを収録コマンドにより記憶媒体に収録
し、自動番組送出設備から入力されるオンエアコマンドにより、前記記憶媒体に蓄積記憶
している番組素材のデータを読み出して送信機に向けて送出する番組送出サーバの番組再
収録方法において、  前記コマンド入力手段を介して前記収録コマンドが入力される前記
制御管理手段は、入力された収録コマンドが、既に前記記憶媒体で蓄積している素材の再
収録コマンドの場合、前記入力される番組素材のデータに仮のＩＤを付与して前記記憶媒
体に書込記録し、書込記録が完了した場合、前記仮のＩＤと前記既に蓄積記憶していた第
１の素材のデータに付与された本来のＩＤとの間でＩＤを相互に差し替える再収録を行い
、前記コマンド入力手段を介して前記オンエアコマンドが入力された場合、前記本来のＩ
Ｄに差し替えられた前記再収録した素材のデータを前記記憶媒体から読み出して前記送出
し、前記書込記録完了前に前記オンエアコマンドを受信した場合、前記既に蓄積していた
本来のＩＤが付与されている前記第１の素材のデータを前記記憶媒体から読み出して前記
送出する制御を行う制御管理手段とを備える事を特徴とする。
【発明の効果】
【００１３】
本発明によれば、コンテンツの緊急差替を行っても事故を防ぐ番組送出サーバおよび番
組再収録方法を提供することができる。
【発明を実施するための最良の形態】
【００１４】
以下、図面を参照して本発明の実施例を説明する。
【実施例】
【００１５】
図１は、本発明の実施例に係わる番組送出サーバを用いた自動番組送出系統を示す構成
系統図である。  
図１において、送信機へ向けて番組の素材（コンテンツ）を送出する自動番組送出系統
は、ビデオサーバ１および制御管理装置４とからなる番組送出サーバＢＳ、ＳＣＰ（Ｓｃ
ｈｅｄｕｌｅ  Ｃｏｎｔｒｏｌ  Ｐｒｏｃｅｓｓｏｒ）２、監視制御卓３、制御ネットワ
ーク５、スイッチャ６、ＤＳ（Ｄａｔａ  Ｓｅｒｖｅｒ）７、ネットワーク８、例えば、
ＶＴＲの様な再生装置１ａ、スタジオカメラ等の素材送出装置１ｂを備えている。
【００１６】
制御ネットワーク５は、ビデオサーバ１、ＳＣＰ２、監視制御卓３、制御管理装置４、
制御ネットワーク５、スイッチャ６、ＤＳ７、再生装置１ａ、素材送出装置１ｂとの間を
接続し、素材を送出する装置の選択情報や、素材を指定するデータ、及びオンエア時刻等
のタイミング情報を伝送している。ＤＳ１からＳＣＰ２へは、この制御ネットワーク５を
介して、もしくは記憶媒体等によって、番組時刻表に係わるデータが供給される。
【００１７】
ＤＳ７からの番組時刻表に従って自動的に番組を送出する処理を行うＳＣＰ２、監視制
御卓３、制御ネットワーク５、スイッチャ６等を総称してＡＰＣ（自動番組送出設備）９
と呼ばれる。
【００１８】
ＳＣＰ２は、番組送出スケジュールの統括管理を行うＤＳ７から供給される番組時刻表
を元に番組素材の送出の制御に係わる上記各種の装置を選択して駆動するタイミングや、
コンテンツを設定するイベント情報を生成し、イベント制御コマンド、オンエアコマンド
等を制御ネットワーク５を介して各種装置へ送信している。
【００１９】
監視制御卓３は、例えば、タッチパネルと呼ばれるオペレータが操作する制御卓で、制
御ネットワーク５を介して各装置との間で通信を行いＳＣＰ２に新たなイベントを設定す
るコマンドを入力し、また各装置からＳＣＰが送信したコマンドに対する応答やモニタ情
報を受信して監視する装置でもある。また、ＳＣＰ２に代わって手動でイベントコマンド
や、オンエアコマンドを送出するための入力手段としても機能する。
【００２０】
制御管理装置４は、制御ネットワーク５およびビデオサーバ１と接続され、ビデオサー
バ１が蓄積記憶する素材や素材を送出管理するデータの設定や監視に用いられる制御管理
装置でＰＣ等の情報端末でも良い。番組送出サーバＢＳは、ＳＣＰ２から制御ネットワー
ク５を介して送信されたビデオサーバ１に対するイベントコマンドを受信してビデオサー
バ１における素材（コンテンツ）の蓄積記憶、および送出動作を制御管理する装置である
。
【００２１】
スイッチャ６は、ＳＣＰ２からの制御信号に基づき、イベントとしてネットワーク８と
、番組送出サーバＢＳに用いている様なビデオサーバ類（図示せず）、ＶＴＲの様な再生
装置１ａ、スタジオカメラのような素材送出装置１ｎ等の各種番組信号を入出力する複数
の装置との間の接続を選択、切替を行う装置で、ネットワーク８は、前述の各装置が入出
力する番組素材信号を伝送するネットワークである。
【００２２】
番組送出サーバＢＳは、制御管理装置４が制御ネットワーク５を介して受信するＳＣＰ
２からのオンエアコマンドに従いビデオサーバ１が蓄積記憶していた素材（コンテンツ）
をスイッチャ６とネットワーク８を介して送信機へ向けて送出し、同様にＳＣＰ２、又は
、監視制御卓３等から収録コマンドを受信して、スイッチャ６とネットワーク８を介して
入力される素材（コンテンツ）を蓄積記憶する。
【００２３】
図２は、番組送出サーバＢＳの動作を説明する機能ブロック図である。  
図２は、番組送出サーバＢＳの構成の１例で、ここでは、ビデオサーバ１と制御管理装
置４とが組み合わされて構成されている。素材（コンテンツ）を蓄積記憶するビデオサー
バ１は、それぞれが内部バス等で接続される記憶媒体１０、ＣＰＵ１１、ビデオＩＦ１２
、通信Ｉ／Ｆ１３、Ｉ／Ｏ（入出力）Ｉ／Ｆ１４とを備える。
【００２４】
また、ビデオサーバ１を制御する制御管理装置４は、メモリ４０、ＣＰＵ４１、通信Ｉ／
Ｆ４２、入出力部４３、Ｉ／ＯＩ／Ｆ４４、内部時計４７とを備えている。
【００２５】
通信Ｉ／Ｆ１３、４２は、制御ネットワーク５に接続され、ＳＣＰ２や監視制御卓３と
の間でイベントデータ始め各種の制御情報が入出力される。Ｉ／Ｏ  Ｉ／Ｆ１４、４４と
は、それぞれの装置内部動作を制御するＣＰＵ１１とＣＰＵ４１との間を接続する、例え
ば、記憶媒体４０の書き込み読み出し等の制御を行う高速のデータの転送を行うバス、又
は、信号線のインタフェースである。ＣＰＵ間の専用データバス、又はＵＳＢ、ＳＣＳＩ
Ｉの様な入出力インタフェースが用いられる。
【００２６】
制御管理装置４の入出力部４３は、情報端末のキーボード、ディスプレイ等の入出力手
段である。内部時計４７は、ＳＣＰ２からのイベントコマンドに対応して動作するタイミ
ングを制御する為にＣＰＵ４１が参照するものである。また、メモリ４０は、制御管理装
置４０の動作、及びビデオサーバ１を制御するシーケンス制御プログラムが記憶される。
【００２７】
また、必要な場合は、ビデオサーバ１は蓄積記憶する素材をコンテンツリスト４６、ま
た、素材の送出等を管理するのに必要なコンテンツ管理テーブルが記憶されるワークメモ
リとして機能するメモリである。
【００２８】
記憶媒体１０は、制御管理装置４から動作命令に対応する高速で、書き込み読み出しが
可能な、半導体、磁気ディスク等の大容量の記憶媒体である。ビデオＩ／Ｆ１２は、記憶
媒体１０に蓄積記憶される素材のデータをネットワーク８との間で入出力する為のインタ
フェースを行い、また、必要で有れば記憶装置に書き込まれるデータとネットワーク８と
の間で入出力するデータ間の符号化変換を行う機能も備えている。
【００２９】
基本的な動作として、ＳＣＰ２、監視制御卓等から制御ネットワーク５を介して番組送
出サーバＢＳに対して送信されたイベントコマンドは、一旦、制御管理装置４の４１によ
り入力される。そしてＣＰＵ４１は、メモリ４０に書き込まれたビデオサーバの動作を制
御するプログラムによって、ビデオサーバ１に対する動作命令をＩ／Ｏ  Ｉ／Ｆ１４、４
４とを介してＣＰＵ１１に送信する。
【００３０】
ビデオサーバ１の内部動作は、ＣＰＵ１１によって監視制御される。例えば、後述の収
録処理に係わる素材のＩＤ管理、書き込み、読み出しに対するシーケンス制御は、ＣＰＵ
４１が統括管理し、ＣＰＵ１１は、そのシーケンス制御に従って、記憶媒体の起動、停止
、蓄積データの書き込み、読み出し、およびネットワーク８との間の入出力制御を行う。
【００３１】
なお、ここでは、利便上、上記構成により番組送出サーバの動作を説明しているが、ビ
デオサーバ１と制御管理装置４との構成形態は、これに限られることは無い。例えば、制
御管理装置１にビデオサーバ１の機能が収容されることにより一体化され、制御管理装置
１のメモリ４０に相当する部分が記憶媒体１０の大容量の記憶媒体に置き換えられると共
に、ビデオＩＦ１２が制御管理装置１に備えられているものであっても良い。
【００３２】
図３は、制御管理装置４がビデオサーバ１を制御する処理手順を示すフローチャートで
ある。  
以下、図１〜図３を参照して番組送出サーバＢＳの動作を説明する。
【００３３】
制御網５を介して番組送出サーバＢＳに、監視制御卓３から送信された再収録コマンド
「ＳＴＲ：１２３ＡＢＣ」を、ＣＰＵ４１が通信Ｉ／Ｆ４２を介して受信する（図３のス
テップｓ１）。ＣＰＵ４１はそれを “ＳＴＲ”が素材ＩＤ“１２３ＡＢＣ”の素材（コ
ンテンツ）の再収録を指示する収録コマンドと判読する（ステップｓ２がＹｅｓ）。
【００３４】
そして、スイッチャ６を介して入力される映像信号のコンテンツを仮ＩＤ「１２３ＡＢ
Ｃ−Ｒ」で書込記録するコマンド、例えば、「Ｗ：１２３ＡＢＣ―Ｒ」をＣＰＵ１１に送
出（ステップｓ−４）して書込記録に対するレスポンスを待つ。
【００３５】
監視制御卓３からは、再収録コマンドに合わせてスイッチャ６とビデオサーバ１とＶＴ
Ｒ１ａとへ、例えば、収録される素材「１２３ＡＢＣ」のデータをＶＴＲ１ｂから送出し
てビデオサーバ１へ入力するコマンドが制御ネットワーク５を介して、ビデオサーバ１、
スイッチャ６，ＶＴＲ１ｂとへ送信される。そして、ビデオサーバ１へＶＴＲ１ａからス
イッチャ６を介してＩＤが「１２３ＡＢＣ」の素材のデータが入力される。
【００３６】
なお、再収録コマンドを監視制御卓の代わりに制御管理装置４の入出力部４３から入力
する場合も本発明が適用されることは言うまでもない。
【００３７】
書き込み記録コマンドを受信したＣＰＵ１１は、ＶＴＲ１ａから入力される素材データ
に、仮ＩＤ「１２３ＡＢＣ−Ｒ」を名付けして記憶媒体４０に書込記録する。そして、Ｃ
ＰＵ１１は、書込記録が完了した時点で完了のレスポンスをＣＰＵ４１へ送信する。
【００３８】
一方、ＣＰＵ４１は、書込記録に対するレスポンスを待つ間も制御ネットワーク５から
のオンエアコマンドを監視している。ＣＰＵ４１は、オンエアコマンドの受信前に書込記
録完了のレスポンスＣＰＵ１１からを受信した場合（ステップｓ５がＮｏ）場合、仮ＩＤ
で書込記録した素材データのＩＤを本来の１２３ＡＢＣに差し替えるリネームコマンドを
ＣＰＵ１１へ送信する（ステップｓ６）。そして以前に収録していた素材データを記憶媒
体１０から削除するか、又は仮ＩＤと相互に差し替えるか、あるいは他のＩＤに改名して
蓄積する改訂コマンドをＣＰＵ１１へ送信する（ステップｓ７）。
【００３９】
言い換えれば、既に記憶媒体に蓄積されていた素材のデータに「１２３ＡＢＣ−Ｒ」を
付与する代わりに第３のＩＤ、例えば、「１２３ＡＢＣ−Ｒ２」の様に改名をするもので
あっても良い。
【００４０】
図４は、記憶媒体４０に書込蓄積された素材を示すコンテンツリスト４５の１例である
。  
図４（ａ）は、番組送出サーバＢＳが再収録コマンドを受信する前または、再収録完了
後でオンエアコマンド待ちにおける状態のコンテンツリスト４５である。図４（ｂ）は、
再収録中（ステップｓ４、５）の素材のコンテンツリスト４５であり、ここでは、「１２
３ＡＢＣ」は既に蓄積記憶されていた素材を示し、「１２３ＡＢＣ−Ｒ」は、再収録する
ための書込記憶中のデータのファイルを示している。
【００４１】
書込記録が完了すると、ＣＰＵ４１は、既に蓄積されていた素材のデータに付与されて
いた本来のＩＤと書込記録が完了したデータに付与されている仮ＩＤとを相互に差替（入
替）る（ステップｓ６）。
【００４２】
そして、既に収録されていた素材のデータを削除する場合で有れば、「１２３ＡＢＣ−
Ｒ」の仮ＩＤが付与された素材データが記憶媒体から消去されると共にコンテンツリスト
から削除され図４（ａ）に示される状態になる。改名する場合には、図４（ｂ）の状態が
保たれ、古い素材のデータも記憶媒体４０に残される。
【００４３】
削除する場合は、記憶媒体４０の記憶容量の余裕を確保出来る効果がある。改名は、十
分な容量があり余裕を確保しなくて良い場合に適した方法である。旧素材と新素材とを蓄
積することにより、旧素材がバックアップ用になること、複数のコンテンツ候補を揃えて
オンエアコマンドを待機出来る等の効果がある。削除するか、改名するかをオペレータが
予め入出力部４３から設定する。
【００４４】
また別の方法として、ＣＰＵ１１は、記憶媒体４０の蓄積データ量のモニタデータをＣ
ＰＵ４１に送信しているが、ＣＰＵ４１は、モニタデータを監視して記憶媒体４０の空き
容量が、例えば、全容量の６０％以上無い場合には削除する様にする改訂コマンドの送出
条件を定めておくものであっても良い。
【００４５】
その後通常番組放送予定になると「１２３ＡＢＣ」を送信するオンエアコマンドがＳＣ
Ｐ２から番組送出サーバＢＳへ送信される。ＣＰＵ４１は、受信したそのオンエアコマン
ドに従って、記憶媒体４０から「１２３ＡＢＣ」を読み出してスイッチャ６を経由してネ
ットワーク８へ出力する送出コマンドをＣＰＵ１１へ送信する（ステップｓ８）。
【００４６】
送出コマンドを受信したＣＰＵ１１は、記憶媒体４０から「１２３ＡＢＣ」を読み出し
、ビデオＩ／Ｆを介してスイッチャ６へ出力する。そして、送信機側では、ネットワーク
８を介してこの「１２３ＡＢＣ」の素材を入力して放送する処理を行う。
【００４７】
オンエアコマンドは、通常ＳＣＰ２から送出されるが、急いで再収録を行っている最中
、書込記録が完了しない内に送信タイミングが来てしまった場合、又は、監視制御卓３か
ら緊急に当該素材の送出（ここでは、素材ＩＤが「１２３ＡＢＣ」となる）を指示される
場合、即ち、オンエアコマンドを受信する場合（ステップｓ５がＹｅｓ）がある。
【００４８】
この場合、ＣＰＵ４１は受信したオンエアコマンドに従って、記憶媒体４０から「１２
３ＡＢＣ」の素材データを読み出してスイッチャ６を経由してネットワーク８へ出力する
送出コマンドをＣＰＵ１１へ送信する（ステップｓ８）。そして、再収録中であっても蓄
積されていた再収録前の素材が、記憶媒体４０から読み出されてスイッチャ６及びネット
ワーク８とを経由して送信機へ向けて送出される。素材の内容が古いままである欠点は有
るが、コンテンツが無い、又は放送中に尻切れ状態になる等の事故の発生を防いだ番組送
出が可能になる。
【００４９】
また、素材ＩＤ「１２３ＡＢＣ」を再収録でなく初めて収録する場合は、収録コマンド
が、例えば、再収録を示すＲが記されていない「ＳＴ：１２３ＡＢＣ」になっている。Ｃ
ＰＵ４１は、その「ＳＴ」を判読することによってその収録が１回目の収録であると判定
する。そして、そのままＩＤ「１２３ＡＢＣ」で書込記録するコマンド、例えば、「Ｗ：
１２３ＡＢＣ」をＣＰＵ１１へ送信し、ＶＴＲ１ａから出力される素材がＩＤ「１２３Ａ
ＢＣ」でビデオサーバ１の記憶媒体４０に書込記録され（ステップｓ３）、コンテンツリ
スト４６にも新たな素材のＩＤの名称１２３ＡＢＣが追加される。
【００５０】
図５は、再収録の変形例における再収録処理の手順を示すフローチャート、図６は、変
形例において、制御管理部４のＣＰＵ４１が参照するコンテンツ管理テーブル４５の１例
である。  
コンテンツ管理テーブル４５は、予め入出力部４３から入力されるか、又は、通信Ｉ／
Ｆ４２を介してビデオサーバ１の記憶媒体に蓄積される素材のデータのＩＤが、放送予定
時刻と共に入力され、ＣＰＵ４１がそれらの放送予定の時刻とＩＤを対応させ、コンテン
ツ管理するテーブルを生成してメモリ４０に書込記憶したものである。
【００５１】
変形例では、収録コマンドが、再収録コマンドと通常の収録コマンドとの区別が無く、
さらに、オンエアコマンドに代わり予定されていた時刻に収録しているコンテンツを送信
機に向けて送出する場合にも対応しうるようにＣＰＵ４１のシーケンスコントロールのプ
ログラムがメモリ４０に設定されている。
【００５２】
図５は、図２における場合と同じ処理を行う場合は、図２と同じステップ番号を付与し
、追加、又は変更された処理を行うステップについては、別のステップ番号を付与した。
【００５３】
制御管理装置４１のＣＰＵ４１は、所定の定期的間隔で記憶媒体４０が蓄積記憶してい
るデータファイルをＣＰＵ１１経由で収集し、コンテンツリスト４６としてメモリ４０に
書込み記憶する。
【００５４】
また、同様に、制御ネットワーク５を経由して入力される番組時刻表の情報を監視し、
番組送出サーバから送出する素材（コンテンツ）の送出タイミング（時刻）を抽出し、コ
ンテンツ管理テーブル４５としてメモリ４０に書込み記憶する（図５のステップｓ０）。
【００５５】
今、収録コマンドとして、「ＳＴ：１２３ＡＢＣ」を受信したとする（ステップｓ１）
。ＣＰＵ４１は、コンテンツリスト４６と照合し（ステップｓ１―１）、コンテンツリス
トにＩＤが「１２３ＡＢＣ」の素材の有無を調べる。そして、有った場合（ステップｓ２
−１がＹｅｓ）は、再収録と判定し、以降、図２における再収録と同じ様に「１２３ＡＢ
Ｃ−Ｒ」の書込記録コマンドをＣＰＵ１１へ送信する（ステップｓ４）。
【００５６】
書込記録中に、ＣＰＵ４１は、コンテンツ管理テーブル４５と内部時計４７とを照合し
、番組送出タイミングとの差を比較し、所定の時間差になった場合、言い換えればオンエ
アタイミングになった場合（ステップｓ５−１がＹｅｓ）は、既に記憶媒体４０に蓄積し
ていたＩＤが「１２３ＡＢＣ」の素材データを送出する（ステップｓ８）制御を行う。図
６では、例えば、時刻００：１９：５９を過ぎ、残り１秒を切った場合に「１２３ＡＢＣ
」のＩＤの素材データを送出する場合に相当する。
【００５７】
もし、所定の時間差になる前に書込記録が完了した場合ステップｓ５−１がＮｏ）、図
２と同様にＩＤの差し替え、素材の削除、改名等を行う（ステップｓ６、ｓ７）。
【００５８】
言い換えれば、ＣＰＵ４１は、コンテンツ管理テーブル４５を参照して、番組送出タイ
ミングとの差を比較し、所定の時間差になった場合オンエアコマンドを受信した場合と同
様の素材送出に係わる制御を行う。
【００５９】
一方、ＣＰＵ４１は、コンテンツリストに収録コマンドに設定された番組素材のＩＤが
記されて無い場合（ステップｓ２−１がＮｏ）、入力される番組素材にそのままＩＤ「１
２３ＡＢＣ」を付与して記憶媒体４０に書込記録する（ステップｓ３）。
【００６０】
なお、再収録の書込記録中に当該ＩＤの素材のオンエアコマンドが、制御ネットワーク
５を介して番組送出サーバＢＳで受信された場合も、図２のステップｓ５と同様の動作が
行われることは言うまでもない。また、本発明は、その主旨を逸脱しない範囲で上記実施
例、及び変形例の構成や処理手順を変更、組み合わせたものでも適用される。
【００６１】
以上述べた如く、本発明の実施例による番組送出サーバによれば、再収録する素材に仮
ＩＤを付与し、書込記録完了時に本来のＩＤに差替ることにより、再収録中にオンエアコ
マンドを受信した場合でも既に収録されていた素材を送出するので、放送事故の発生を防
ぎ、オンエアタイミングに囚われることなく、容易に再収録することが出来る。
【図面の簡単な説明】
【００６２】
【図１】本発明の実施例に係わる番組送出サーバを用いた自動番組送出系統を示す構成系統図。
【図２】本発明の実施例に係わる番組送出サーバの動作を説明する機能ブロック図。
【図３】制御管理装置４がビデオサーバ１を制御する処理手順を示すフローチャート。
【図４】記憶媒体に書込蓄積された素材を示すコンテンツリストの１例。
【図５】再収録の変形例における再収録処理の手順を示すフローチャート。
【図６】コンテンツ管理テーブルの１例。
【符号の説明】
【００６３】
１  ビデオサーバ
１０  記憶媒体
１１、４１  ＣＰＵ
１２  ビデオＩ／Ｆ
１３、４２  通信Ｉ／Ｆ
１４、４４  Ｉ／Ｏ（入出力）Ｉ／Ｆ
１ａ  再生装置
１ｂ  素材送出装置
２  ＳＣＰ
３  監視制御卓
４  制御管理装置
４０  メモリ
４３  入出力部
４５  コンテンツ管理テーブル
４６  コンテンツリスト
４７  内部時計
５  制御ネットワーク
６  スイッチャ
７  ＤＳ（データサーバ）
８  ネットワーク
【図１】
2009171361.tif 000003
【図２】
2009171361.tif 000004
【図３】
2009171361.tif 000005
【図４】
2009171361.tif 000006
【図５】
2009171361.tif 000007
【図６】
2009171361.tif 000008